(57)【要約】【課題】パソコン周辺機器とデータ通信のメス側とを接続するコネクタを提供する。【解決手段】パソコンの周辺機器とＲＪ１１或いはＲＪ４５のデータ通信のメス側を接続するのに用いられるコネクタを提供するものである。前記コネクタは第一端と第二端を含む。前記第一端は前記データ通信のメス側に挿入するのに用いられ、前記第二端は前記パソコンの周辺機器にある矩形の凹部に挿入するのに用いられる。この低コスト方式によりパソコンの周辺機器をノート型パソコンに固定させることができる。【選択図】図８
2007305098.tif 000002
【特許請求の範囲】
【請求項１】
矩形の凹部を備えるパソコンの周辺機器とＲＪ１１或いはＲＪ４５のデータ通信のメス側を接続するのに用いられるコネクタであって、第一端と第二端を有する棒状の本体を含み、そのうち前記第一端は前記データ通信のメス側に挿入するのに用いられ、且つ、互いに並行する第一表面及び第二表面を有し、前記第一表面上に弾性のアーム、前記第二表面上に溝を有しており、及び前記第二端は前記パソコンの周辺機器にある矩形の凹部に挿入するのに用いられ、且つ互いに垂直する側表面を４個有するものであることを特徴とするコネクタ。
【請求項２】
前記第二端にさらに２個のリブが前記４個の側表面のうちの２個の側表面にそれぞれ設置されることを含むことを特徴とする請求項１に記載するコネクタ。
【請求項３】
前記第二端にさらに２個の係止部のスプリングが前記４個の側表面のうちの２個の側表面にそれぞれ設置されることを含むことを特徴とする請求項２に記載するコネクタ。
【請求項４】
前記棒状の本体が前記第一端と前記第二端の交叉点に凸端を有することを特徴とする請求項１に記載するコネクタ。
【請求項５】
前記コネクタが一体成型により形成されることを特徴とする請求項１に記載するコネクタ。
【請求項６】
前記パソコンの周辺機器がマウスであることを特徴とする請求項１に記載するコネクタ。
【発明の詳細な説明】
【技術分野】
【０００１】
本発明はコネクタに関わり、特に通信のメス側とパソコンの周辺機器を繋ぐコネクタに係わる。
【背景技術】
【０００２】
ノート型パソコンは持ち運びができるという特性により、ユーザーが増えている。一般的なノート型パソコンはタッチパッドを入力装置としている。
【０００３】
しかし多くのユーザーはマウスを入力装置とすることに慣れている。従ってもしオフィス内でノート型パソコンを使用するならば、マウスはやはりなくてはならない周辺機器である。
【０００４】
一般的なオフィスユーザーは、一時ノート型パソコンを他の場所に移動させる必要がある時、例えば会議室で会議がある時など、大多数はやはりマウスを持ち運ばなくてはならない。マウスとノート型パソコンは別々の個体であるので、移動中にマウスを落下させないように携帯時は特別に注意する必要がある。
【０００５】
この問題を解決するために、従来はマウスをノート型パソコンに取り付けることができる設計が生みだされた。例えばアメリカ特許第６７８４８７０号では取り外し可能なマウスを備えるノート型パソコンが提案されている。図１に示すように、第６７８４８７０号はマウスをノート型パソコンに取り付けられるように、ノート型パソコン本体１０とマウス本体２０の設計に対応する結合構造３０である。
【０００６】
図２に別の従来のマウスをノート型パソコンに取り付けることができる設計を示す。図２は台湾特許第３９８６４２号の概略図である。台湾特許第３９８６４２号はマウス６０を直接ノート型パソコン４０内に収納できるように、ノート型パソコン４０上に収納溝５０を設置している。
【０００７】
しかし、従来のマウスをノート型パソコンに取り付ける方式はノート型パソコン上に対応する固定構造を別に設置しなければならず、つまり一種のマウスは一種のノート型パソコンにしか適用できない。使用上の制限を増やすことになる。
【０００８】
従来のマウスをノート型パソコンに取り付ける方式の欠点を改善する為に、出願人は２００５年１２月２９日に中華民国第９４１４３５３３号、名称「収納ができる係止モジュールを有するマウス」の発明を特許出願することにより図１と図２の問題を解決した。
【０００９】
図３に第９４１４３５３３号の発明の概略図を示す。これにおいて、出願人はマウス内にマウス内部に収納される係止モジュール７０を設置した。図３はさらに多くのノート型パソコンに設置されている鍵穴８０はいわゆるケンジントンロックを示す。ケンジントンロックはノート型パソコンが盗まれないように、ユーザーがロック装置をパソコンの中に取り付けて用いるものである。パソコン売り場や展覧会場で展示されているノート型パソコンはみなこの鍵穴が使用されている。前記請求案はマウスの係止モジュール７０の係止部を前記鍵穴８０内に嵌めることにより、マウスをノート型パソコンに取り付けるという目的を達成する。
【発明の開示】
【発明が解決しようとする課題】
【００１０】
しかし出願人が提出した前記台湾特許は図１と図２における従来の欠点を解決しているが、係止モジュール７０は多くの部品により構成されているので、マウスのコストが増え、また係止モジュールはマウス内に収納されるので、マウスの体積が増す。
【００１１】
従って、多数のノート型パソコンに適用でき、且つ低コストの解決案が必要である。
【課題を解決するための手段】
【００１２】
本発明の目的はマウスとノート型パソコンのＲＪ１１或いはＲＪ４５のデータ通信のメス側を接続するのに用いられるコネクタを提供するもので、それによりマウスをノート型パソコンに固定することができる。
【００１３】
本発明は矩形の凹部を備えるパソコンの周辺機器とＲＪ１１或いはＲＪ４５のデータ通信のメス側を接続するのに用いられるコネクタを提供するものであって、前記コネクタは第一端と第二端を有する棒状の本体を含み、そのうち前記第一端は前記データ通信のメス側に挿入するのに用いられ、且つ、互いに並行する第一表面及び第二表面を有し、前記第一表面上に弾性のアーム、前記第二表面上に溝を有しており、及び前記第二端は前記パソコンの周辺機器にある矩形の凹部に挿入するのに用いられ、且つ互いに垂直する側表面を４個有する。
最適な実施例において、前記第二端にさらに２個のリブが前記４個の側表面のうちの２個の側表面にそれぞれ設置され、２個の係止部のスプリングが前記４個の側表面のうちの２個の側表面にそれぞれ設置される。
【００１４】
最適な実施例において、前記第一端と前記第二端の交叉点に凸端を有している。
【００１５】
最適な実施例において、コネクタは一体成型により形成される。
【００１６】
最適な実施例において、前記パソコンの周辺機器はマウスである。
【発明を実施するための最良の形態】
【００１７】
本発明を図面により詳細に説明する。
【実施例】
【００１８】
図４に従来のノート型パソコンに係わる側面図を示す。図４のノート型パソコン１００は二つのデータ通信のメス側１０１と１０２を有する。そのうちメス側１０１がモデムに接続するためのＲＪ１１のメス側であり、メス側１０２はＬＡＮに接続するためのＲＪ４５のメス側である。
【００１９】
図５に本発明のコネクタ及び前記コネクタを用いることができるマウスの最適な実施例の概略図を示す。図５には本発明のコネクタ２００とマウス３００が示されている。コネクタ２００は第一端２０１と第二端２０２を含み、マウス３００は凹部３０１を有する。そのうち第一端２０１はノート型パソコンのＲＪ１１或いはＲＪ４５のデータ通信のメス側に挿入するのに用いられ、第二端２０２はマウス３００の凹部３０１に挿入するのに用いられる。
【００２０】
図６と図７を用いて、本発明であるコネクタの使用方法を以下に説明する。ユーザーはまずコネクタ２００の第一端２０１を例えばＲＪ１１メス側１０１のようなノート型パソコンのデータメス側に挿入し、続いてコネクタ２００の第二端２０２をマウス３００の凹部３０１に挿入する。これによりコネクタ２００はＲＪ１１メス側１０１とマウス３００に接続され、マウス３００をノート型パソコン１００の側面に固定することができる。図７に示すとおりである。
【００２１】
図８（ａ）（ｂ）に図２のコネクタ２００に係わる構造の概略図を示す。図８（ａ）は第一端２０１方向におけるコネクタ２００の正投影図で、図８（ｂ）は第二端２０２方向におけるコネクタ２００の正投影図である。
【００２２】
図８（ａ）（ｂ）に示すように、コネクタ２００は第一端２０１と第二端２０２を有する棒状の本体を含む。第一端２０１はＲＪ１１メス側１０１に挿入するために用いられ、且つ互いに並行する第一表面２０１１及び第二表面２０１２を有する。前記第一表面２０１１上に弾性のアーム２０１１Ａ、前記第二表面２０１２上に溝２０１２Ａを持っている。前記第二端２０２はマウス３００の凹部３０１に挿入するのに用いられ、且つ互いに垂直する４つの側表面２０１２、２０２２、２０２３、２０２４を有する。前記第一端２０１と前記第二端２０２の交叉点に凸端２０３を有する。そのうち第二端２０２がマウス３００の凹部３０１に挿入され、凸端２０３に接触するとき、第二端２０２が完全にマウス３００の凹部３０１に挿入できる。
【００２３】
このほか、第二端２０２の二つの相対する側表面２０２１と２０２３がそれぞれ二つのリブ２０２１Ａを含み、第二端２０２における別の二つの相対する側表面２０２２と２０２４にそれぞれ係止部２０２２Ａ１を有するスプリング２０２２Ａが設置されている。
【００２４】
以下にコネクタ２００に含まれている構造が有する機能について詳しく説明する。第一端２０１は弾性のアーム２０１１Ａを有し且つ第一端２０１の形状はＲＪ１１メス側の形状に合うように設計されており、従来のＲＪ１１のオス側に類似している。第一端２０１がＲＪ１１のメス側１０１内に挿入される時、弾性のアーム２０１１Ａは第一端２０１をＲＪ１１のメス側１０１内で係止させる。これは従来のＲＪ１１のオス側とＲＪ１１のメス側の結合方式に類似している。
【００２５】
ユーザーがマウス３００をパソコン１００から取り外す時、力をかけてマウス３００とコネクタ２００を取り外すことができる。コネクタ２００をＲＪ１１のメス側１０１から取り外す時、弾性アーム２０１１Ａの係止力を取り除くために弾性アーム２０１１Ａを押すことにより、第一端２０１をＲＪ１１のメス側１０１から取り外すことができる。
【００２６】
また第一端２０１の第二表面２０１２に溝２０１２Ａがある。従来のＲＪ１１のオス側はＲＪ１１のメス側に挿入される時ＲＪ１１のメス側内の電子接点と電気的な接触をするための電気的な接点を有する。しかし本発明のコネクタ２００の目的はマウス３００をＲＪ１１のメス側１０１によりノート型パソコン１００に固定することであり、従ってコネクタ２００はＲＪ１１のメス側１０１と電気的な接触をする必要がない。溝２０１２Ａの設置の目的は第一端２０１がＲＪ１１のメス側１０１内に挿入される時、第一端２０１の任意の部分がＲＪ１１のメス側内にもともとある電気的な接点に触れないようさせるためであり、つまり前記のようなメス側内の電気的な接点を損傷させないですむ。
【００２７】
コネクタ２００の第二端２０２について延べる。第二端２０２がマウス３００の凹部３０１としっかりと結合できるように、第二端２０２の二つの相対する側表面２０２１と２０２３上にリブ２０２１Ａが設置され、別の二つの相対する側表面２０２２と２０２４上にそれぞれ係止部２０２２Ａ１を有するスプリング２０２２Ａが設置されている。  図９に第二端２０２の平面図を示す。図９からわかるように、係止部２０２２Ａ１を有するスプリング２０２２Ａが設置されている側表面２０２２と２０２４の近くにそれぞれある隙間２０４において、第二端２０２が凹部３０に挿入される過程で、スプリング２０２２Ａは凹部３０の内壁により隙間２０４に向かって押され、第二端２０２が完全に凹部３０内に挿入されると、スプリング２０２２Ａはそれ自身が持つ弾性が係止部２０２２Ａ１を凹部３０の内壁に押し付けるので、第二端２０２を凹部３０としっかりと結合させられ、マウス３００がコネクタ２００によりノート型パソコンに固定されるとき、パソコンが揺れ動いたからといってコネクタ２００が外れるということはない。
【００２８】
以上述べたことをまとめれば、本発明のコネクタはＲＪ１１或いはＲＪ４５のメス側に合うような第一端を有する構造を設けることによりマウスをノート型パソコンに固定することができる。ＲＪ１１とＲＪ４５のメス側はノート型パソコンの必須の連接バーであるので、本発明は様々なノート型パソコンに適用することができる。また、ＲＪ１１のメス側とＲＪ４５のメス側の形状がもともとＲＪ１１のオス側とＲＪ４５のオス側としっかりと結合できるものであるので、ＲＪ１１のメス側とＲＪ４５のメス側を用いてコネクタの固定メス側とし最適な安定性を提供することができる。さらに、本発明は一つのコネクタだけでマウスをノート型パソコンに固定でき、前記コネクタが一体成型により形成されるので、必要なコストは極めて廉価である。
【００２９】
しかし、以上述べたことは、本発明における最良の実施例の詳細な説明と図にすぎず、本発明の特徴はこれだけに限られず、本発明を制限するものではない。本発明のすべての範囲は上記の請求範囲に準じ、本発明の請求範囲の主旨と類似した実施例に合致し、本発明の範疇に属する。この領域を熟知している技術者が、本特許の範囲内で、手を加え、変更したものはすべて、上記の特許請求の範囲内に含まれる。
【図面の簡単な説明】
【００３０】
【図１】アメリカ特許第６７８４８７０号に係わる取り外し可能なマウスを備えるノート型パソコンの概略図。
【図２】台湾特許第３９８６４２号に係わる概略図。
【図３】中華民国特許第９４１４３５３３号に係わる収納ができる係止モジュールを有するマウスの概略図。
【図４】従来のノート型パソコンに係わるＲＪ１１とＲＪ４５のメス側の概略図。
【図５】本発明に係わるコネクタ及び前記コネクタを用いることができるマウスの概略図。
【図６】本発明に係わるコネクタをＲＪ１１のメス側に挿入したときの概略図。
【図７】マウスが本発明のコネクタによりノート型パソコンに固定されるときの概略図。
【図８】（ａ）は本発明に係わるコネクタの第一端方向での概略図。（ｂ）は本発明に係わるコネクタの第二端方向での概略図。
【図９】本発明に係わるコネクタの第二端の平面図。
【符号の説明】
【００３１】
１０    ノート型パソコン本体
２０    マウス本体
３０    結合構造
４０    ノート型パソコン
５０    収納溝
６０    マウス
７０    係止モジュール
８０    鍵穴
１００    ノート型パソコン
１０１、１０２  ２個のデータ通信を有するメス側
２００    コネクタ
２０１    第一端
２０２    第二端
３００    マウス
３０１    凹部
２０１１    第一表面
２０１１Ａ    弾性のアーム
２０１２    第二表面
２０１２Ａ    溝
２０２      第二端
２０２１、２０２２、２０２３、２０２４    互いに垂直する側表面
２０２１Ａ    ２個のリブ
２０２２Ａ    スプリング
２０２２Ａ１    係止部
２０３    凸端
２０４    隙間
【図１】
2007305098.tif 000003
【図２】
2007305098.tif 000004
【図３】
2007305098.tif 000005
【図４】
2007305098.tif 000006
【図５】
2007305098.tif 000007
【図６】
2007305098.tif 000008
【図７】
2007305098.tif 000009
【図８】
2007305098.tif 000010
【図９】
2007305098.tif 000011